(57)【特許請求の範囲】
【請求項１】
デジタル画像データ記録領域と該画像データ記録領域における画像データの記録状態を管理する画像データ管理領域とを論理的に含むオーバーライトが不可能な着脱自在のカード状画像記録媒体を適用し、
上記画像記録媒体における画像データの消去を行うべく、上記画像データ管理領域に対して所定の処理を実行することにより、上記画像データ記録領域中の当該画像データを擬似的に消去するようにした画像データ疑似消去手段を備えた画像記録装置であって、
記録モードを設定することにより画像データを記録するための準備動作の開始を指示する第１指示手段と、
画像データの記録動作の開始を指示する第２指示手段と、
上記画像データ疑似消去手段による消去動作によって上記画像記録媒体における画像データ記録領域中に残された画像データ未消去領域を検出する未消去領域検出手段と、
上記未消去領域検出手段によって検出された未消去領域における画像データの消去を実質的に行う画像データ消去手段と、
上記第１指示手段によって記録モードが設定されることにより画像データの記録準備動作が開始されてから、上記第２指示手段によって画像データの記録動作が開始されるまでの間に、上記消去領域検出手段が画像データ未消去領域を検出し、上記画像データ消去手段が該検出された未検出領域中の画像データの実質的な消去動作を開始するように制御する制御手段と、
を備えたことを特徴とする画像記録装置。
【発明の詳細な説明】
【０００１】
【発明の属する技術分野】
本発明は、画像記録装置、詳しくは、オーバーライトが不可能な記録媒体を適用する画像記録装置に関する。
【０００２】
【従来の技術】
従来、フロッピーディスク等の磁気媒体を画像情報の記録媒体として適用した画像記録装置は周知である。
この種の画像記録装置は、画像情報が、その記録媒体に形成された同心円上の各トラック領域にアナログ信号の形で記録されており、消去を行うに当たっては、該当するトラック領域に対して磁気的に消去動作を行なうことでその画像情報の消去を行っている。
【０００３】
近年、ディジタル電子スチルカメラと称される画像記録装置として、ディジタルデータ化した画像情報を記録媒体としてのＳ−ＲＡＭ等の半導体メモリに記録するようにした画像記録装置が台頭してきている。ディジタル電子スチルカメラのような画像記録装置は、画像情報がもともとディジタルデータで構成されていることから、単なる画像情報のための記録装置としての利用のみに止まらず、パーソナルコンピューター等を利用した情報システム環境における画像取り込み用のツールとしても極めて重要、且つ、優位な地位を占めるようになってきている。
【０００４】
従って、この種の画像記録装置では、上述の記録媒体における画像データの管理形態として、先の情報システム環境において非常に汎用性高く用いられるＤＯＳ  ＦＡＴファイルシステムに準拠した形態を採用することが有利となる。
【０００５】
ここで、ＤＯＳシステムに基づく画像データ記録メディアの論理的な構造と、その管理の概要を説明する。
図１９は、上記記録メディアの論理構造を示している。記録媒体であるメディアは大きくわけると、次の４つの領域から構成される。すなわち、
（１）論理的構造を示すパラメータが記述された領域３１
（２）データ領域内のファイルの場所を示すマップが記録される第１の管理領域３２ａ
（この領域のセクタ数は、（セクタ／ＦＡＴ）×２である）
（３）登録されたファイルの名前やファイルサイズが記録される固定サイズの第２の管理領域３２ｂ
（この領域のセクタ数は、ルートディレクトリエントリの総数÷（バイト数／セクタ÷３２）である）
（４）登録されるファイルのデータ本体の記録領域、および／または、サブディレクトリ情報が記録されるサブ管理領域に当てられる領域３３
（この領域のセクタ数は、メディアの中のセクタ総数−（ルートディレクトリのセクタ数＋ＦＡＴあたりのセクタ数×ＦＡＴの数＋予約セクタ数））
により構成される。
【０００６】
ＤＯＳ  ＦＡＴ（ FILE ALLOCATION TABLE  ）ファイルシステムでは、上述の各領域のうち、領域３１がブートセクタ、領域３２ａがＦＡＴ、領域３２ｂがルートディレクトリ（データ管理領域）、領域３３がデータ記録領域と呼ばれる。
上記領域３２ｂのルートディレクトリは、メディア毎にあらかじめ定められたエントリ数が決まっているため、データファイルだけを登録すると、エントリ数分のファイルしか登録できない。そこで、ディレクトリには、ファイルだけではなく、新たなディレクトリ（サブディレクトリ）も登録できるようになっている。いずれにしても登録されるファイルやディレクトリの本体は、データ記録領域３３に記録される。
【０００７】
データ領域の記録場所や、メディアへの登録、削除は、ディレクトリとＦＡＴ３２ａで管理される。ルートディレクトリ３２ｂにファイルやディレクトリを登録すると、そのエントリには、ファイル名またはディレクトリ名と共にファイルサイズや日時などの付帯情報とＦＡＴ３２ａのエントリ番号が記録される。
また、データ記録領域３３は、例えばクラスタ３４と呼ばれる論理的な記録単位に分割されている。
【０００８】
ＦＡＴ３２ａの各エントリは、データ記録領域の各クラスタと一対一で関連付けられている。ＦＡＴ３２ａのエントリには、次に辿るべきエントリの番号と、最終エントリ（辿るべき次のエントリがない）や未使用のエントリを示すコードが記録される。
従って、データ記録領域３３のどのクラスタにデータやディレクトリが記録されているかは、ディレクトリエントリに記述された最初のＦＡＴのエントリをアクセスし、そこに書かれたエントリ番号を順次追跡することにより解る仕組みになっている。
【０００９】
これが、ファイルやディレクトリの登録と再生の仕組みである。サブディレクトリの場合、ディレクトリのエントリ領域がデータ記録領域３３に置かれるだけで、そこに登録されるファイルやディレクトリの管理は、ルートディレクトリと全く変わらない。
【００１０】
なお、従来の画像記録装置での消去モードによる消去は、所謂、疑似的消去であって、前記図１９の領域３２ｂのエントリーに記録されているファイル名の先頭を０にし、そのファイルのデータが置かれているクラスタ番号が記述されているＦＡＴ３２ａの領域をＦＦｈ（このｈは、１６進数であることを示す）にする処理を意味する。従って、従来の画像記録装置において、消去されたファイルのデータは、データ記録領域３３に残ったままである。
【００１１】
さて、前述した従来のディジタル電子スチルカメラのような画像記録装置において、画像データの消去を行う場合には、ＤＯＳ  ＦＡＴファイルシステムで周知のディレクトリ領域等の画像データ管理領域に対して、例えば、消去等の所定の処理を実行することにより画像データ記録領域中の画像データを疑似的に消去するようにしている。その記録媒体がＳ−ＲＡＭから構成されているものであれば、画像データ記録領域中に画像データが仮に残されていても、オーバーライト（重ね書き）が可能であることから、以後の画像データの記録動作には何等不都合は生じない。
【００１２】
ところで、最近、同じく半導体メモリでありながら、Ｓ−ＲＡＭの如きバックアップ電源を必要とすること無く繰り返し記録及び消去の行えるオーバーライトの不可能なフラッシュメモリを利用した記録媒体がこの種の画像記録装置に利用され始めてきている。
【００１３】
【発明が解決しようとする課題】
しかし、上述のフラッシュメモリ等より構成されるオーバーライトの不可能な記録媒体を上記ディジタル電子スチルカメラの画像記録装置に適用すると、以下のような別の問題が生じることとなる。
【００１４】
即ち、この種の画像記録装置で記録媒体中の画像データの消去を行うべく、Ｓ−ＲＡＭを用いた媒体のときと同様に画像データ管理領域に対して上述の通り所定の処理を実行しても、画像データの疑似消去は行えるものの、オーバーライトが不可能であるが故に以後の画像データの記録動作が画像データ記録領域に対して行えない。従って、疑似消去動作とは別に画像データの実質的消去動作を行う必要が更に生じてくることになる。
【００１５】
その結果、記録モードが設定されて、折角の記録チャンス、すなわち、シャッターチャンスが訪れても、画像データの実質的消去動作が行われていない場合には改めてその実質的消去動作を行うことによってタイムラグが生じるため、その画像を取り逃がしてしまって記録媒体に所望の画像情報を記録することができないという問題を生ずるものであった。
【００１６】
本発明は、上述の実情に鑑みなされたもので、画像情報の記録媒体としてオーバーライトが不可能な記録媒体を適用した際に記録チャンスを逃がすこと無く、高速記録が可能な画像記録装置を提供することを目的とする。
【００１７】
【課題を解決するための手段】
本発明の一態様による画像記録装置は、デジタル画像データ記録領域と該画像データ記録領域における画像データの記録状態を管理する画像データ管理領域とを論理的に含むオーバーライトが不可能な着脱自在のカード状画像記録媒体を適用し、
上記画像記録媒体における画像データの消去を行うべく、上記画像データ管理領域に対して所定の処理を実行することにより、上記画像データ記録領域中の当該画像データを擬似的に消去するようにした画像データ疑似消去手段を備えた画像記録装置であって、
記録モードを設定することにより画像データを記録するための準備動作の開始を指示する第１指示手段と、
画像データの記録動作の開始を指示する第２指示手段と、
上記画像データ疑似消去手段による消去動作によって上記画像記録媒体における画像データ記録領域中に残された画像データ未消去領域を検出する未消去領域検出手段と、
上記未消去領域検出手段によって検出された未消去領域における画像データの消去を実質的に行う画像データ消去手段と、
上記第１指示手段によって記録モードが設定されることにより画像データの記録準備動作が開始されてから、上記第２指示手段によって画像データの記録動作が開始されるまでの間に、上記消去領域検出手段が画像データ未消去領域を検出し、上記画像データ消去手段が該検出された未検出領域中の画像データの実質的な消去動作を開始するように制御する制御手段と、
を備えている。
【００２０】
【発明の実施の形態】
以下、本発明の実施の形態について、図を用いて説明する。
図１は、本発明の第１の実施の形態である画像記録装置の主要ブロック構成図である。なお、本実施の形態の画像記録装置における画像データ管理は、前述した図１９に示すＤＯＳ  ＦＡＴファイルシステムに準じて行うものとする。
【００２１】
図１のブロック構成図に示すように、本画像記録装置は、主に映像信号を取り込む映像信号入力回路１と、映像信号をモニタ等に出力する映像信号出力回路２と、映像信号の入出力処理を行う映像信号処理回路３と、記録媒体１３への記録，読み出しを行うデータ記録読み出し回路４と、未消去領域検出手段である未消去領域検出回路６と、画像データを記憶するフレームメモリ７と、モード設定またはトリガ用のスイッチ群９ａ〜９ｆと、該スイッチの入力用のスイッチ入力回路８と、モード、コマ番号等を表示するＬＣＤ１０と、電話回線からの情報を取り込むモデム１２と、モデム用のシリアル通信インターフェース（Ｉ／Ｆ）１１と、装置内蔵、または、着脱自在である画像データ記録用の記録媒体１３と、上記各制御要素をコントロールする制御手段であるＣＰＵ５等で構成されている。
【００２２】
なお、上記スイッチ群９は、記録モードを設定する記録モードスイッチ（ＲＥＣ  ＳＷ）９ａと、記録トリガスイッチ（トリガＳＷ）９ｂと、再生モードを設定する再生モードスイッチ（ＰＬＡＹ  ＳＷ）９ｃと、消去モードを設定し、画像データの疑似的消去、または、後述する実質的消去を指示する消去モードスイッチ（消去モードＳＷ）９ｄと、その他のモード設定スイッチ（他のモードＳＷ）９ｅとで構成されている。
【００２３】
上記映像信号処理回路３は、映像信号入力回路１、または、映像信号出力回路２を介して映像信号を入力、または、出力し、ＣＰＵ５からの映像処理コントロール信号に基づいて、上記映像信号のＡ／Ｄ変換、Ｄ／Ａ変換、圧縮，伸長処理等を行う。
【００２４】
また、データ記録読み出し回路４は、ＣＰＵ５からのデータ録再信号に基づいて、映像信号を記録媒体１３に記録したり、または、記録媒体１３から映像信号の読み出しを行う。そのとき、ＣＰＵ５は、ＣＰＵバスとこのデータ記録読み出し回路４を介して記録媒体１３へアクセスする。
【００２５】
上記未消去領域検出回路６は、ＣＰＵ５からの未消去領域検出命令信号を受けて、データ録再信号により、データ記録読み出し回路４をコントロールして記録媒体１３内の未消去領域を検索し、その領域のセクタ、または、クラスタ番号をＣＰＵバスを介してＣＰＵ５へ知らせる。
【００２６】
上記ＣＰＵ５には、各制御要素のコントロール手段の他に画像データ疑似消去手段と、画像データ消去手段と、画像受信モード設定手段と、圧縮モード設定手段と、媒体種類判別手段と、固定記憶手段と、処理プログラム追加手段等を内蔵されているものとする。
【００２７】
上記記録媒体１３は、オーバーライト不可能な記録媒体であり、本画像記録装置に内蔵されていてもよく、また、着脱可能な記録媒体であってもよい。着脱可能な記録媒体である場合、後述するように本装置による効果が大きくなる。そして、記録媒体１３の種類としては本形態ではフラッシュメモリとしているが、光磁気ディスク等のオーバーライト不可能な記録媒体であればよく、これらは、画像データが疑似的消去された状態にある可能性が高く、本発明による効果も大きくなる。
【００２８】
なお、上述の画像データの疑似的消去は、前記図１９による説明でも記載したように、第２管理領域である領域３２ｂのエントリーに記録されているファイル名の先頭を０にし、その画像ファイルのデータが置かれているクラスタ番号が記述されている第２管理領域であるＦＡＴ３２ａの領域をＦＦｈにすることによって画像データの消去する。従って、消去された画像ファイルのデータ本体は、データ記録領域３３に残されたままである。
【００２９】
次に、本画像記録装置における信号の流れを説明する。
まず、記録モード時には、映像信号が映像信号入力回路１へ入力され、映像信号処理回路３にてＡ／Ｄ変換されて、フレームメモリ７へ記録される。
記録トリガＳＷ９ｂが押されると、フレームメモリ７から読み出されたデータは、映像信号処理回路３で圧縮され、さらに、データ記録読み出し回路４へ出力された後、記録媒体１３へ記録される。
【００３０】
一方、再生モード時には、データ記録読み出し回路４により画像データが記録媒体１３から読み出され、映像信号処理回路３へ出力される。該映像信号処理回路３では画像データが伸長処理され、フレームメモリ７へ記録された後、Ｄ／Ａ変換されて、映像信号出力回路２を介して外部のモニタ等に出力される。
【００３１】
なお、先に説明した未消去領域検出回路６はプログラム化してＣＰＵ５内のＲＯＭ５ａに収納することも可能である。
また、本画像記録装置ではシリアル通信インターフェイス１１，モデム１２により電話回線を介して画像伝送が可能である。
【００３２】
次に、本画像記録装置の動作モードについて、図２のフローチャートにより説明する。
電源が投入されると、本記録装置は、ステップＳ０１、Ｓ０２、Ｓ０３等に進み、スイッチ群９ａ〜９ｆのうち、どのスイッチが押されたかを検出する。
ＰＬＡＹ  ＳＷ９ｃが押されるとＳ０５へ進む。ここで、初期値として本記録装置が持っていることもあるが、再生コマが指定され、ステップＳ０６で指定コマが再生処理される。この後、ステップＳ０７でモード変化があったかどうかをみる。モード変化がなかった場合は、ステップＳ０５へ戻り、モード変化があるまでステップＳ０５〜Ｓ０７の間を実行する。モード変化があるとステップＳ０１へ戻って、どのスイッチが押されたかを検出する。
【００３３】
ステップＳ０２でＲＥＣ  ＳＷ９ａが押されたことが検出されると、ステップＳ０８へ進む。ここで、未消去領域検出回路６により、未消去領域を検出する。なお、このステップＳ０８の処理の詳細は、図３のフローチャートにより後で説明する。
その後、ステップＳ０９へ進み、未消去領域についての実質的消去を行う。そして、ステップＳ１０へ進み、記録トリガＳＷ９ｂが押されるのを待つ。記録トリガＳＷ９ｂが押されない場合は、Ｓ１２に進み、モード変化があった場合は、ステップＳ０１に戻るが、モード変化がなかった場合は、ステップＳ１０へ戻り、記録トリガＳＷ９ｂが押されるまで、または、モード変化があるまでステップＳ１０からＳ１２を実行する。
【００３４】
記録トリガＳＷ９ｂが押されると、ステップＳ１１へ進み、記録処理を行う。さらに、ステップＳ１２でモード変化があるかどうかを判定する。
ステップＳ０３では他のモードＳＷ９ｅが押されたかを判別し、押された場合、ステップＳ０４に進み、他のモードを実行する。
【００３５】
ここで、上述のステップＳ０８における未消去領域検出回路６による未消去領域検出処理動作について、図３のフローチャートにより詳細に説明する。
図３のフローチャートは、未消去領域検出命令信号を受けた後の未消去領域検出回路６の処理動作を示しており、まず、ステップＳ１５において記録媒体１３の最大クラスタ番号数個の作業用のメモリエリアをクリアする。すなわち、表１に示すようにアドレス０からＮまでの作業用領域を確保し、この値を全て０ｈにする。
【００３６】
【表１】
0003776493.tif 000002
【００３７】
次に、ステップＳ１６に進み、媒体のディレクトリ及びＦＡＴから使用されているクラスタ番号を検出し、このクラスタ番号番地の作業メモリにデータとしてＦＦｈを書き込む。表２で説明すると、クラスタ番号１と２の領域がファイルとして使われていたため、この作業メモリ領域のアドレス１と２のデータをＦＦｈとする。
【００３８】
【表２】
0003776493.tif 000003
【００３９】
上述のようにデータを書き込むことにより、使用されているクラスタ番号のところがマーキングがされたことになる。
さらに、上記ステップＳ１６において、このディレクトリ、および、ＦＡＴから使用されているクラスタ番号を検出するという作業を、全てクラスタにおいて実行する。
【００４０】
上述の処理が完了すると、ステップＳ１７において作業用ＲＡＭでデータが０ｈになっているところのアドレス番号のクラスタを記録媒体１３から読み出して、そのデータがＦＦｈならば作業用メモリのデータとして５５ｈを書き込む（表３参照）。
【００４１】
例えば、作業用メモリのアドレス０番地は、データが０ｈであったので、記録媒体１３からこのクラスタ番地のデータを読み出し、それがＦＦｈならばその領域が実質的に消去されているということで、ここの作業用のメモリのアドレスに５５ｈを書き込み、マーキングする。
ここを前述のＦＦｈというふうにマーキングしてもまったく動作的には変わりない。
【００４２】
【表３】
0003776493.tif 000004
【００４３】
ステップＳ１８において、作業用メモリで値が０ｈになっているところのアドレスをＣＰＵ５へ出力する。表３の場合、全てのクラスタをチェックした後で作業用メモリを検索すると、そこの値が０である番地は、Ｎ番地であることが判別される。したがって、記録媒体１３のクラスタＮ番地は、実質的に消去されていない、疑似消去のクラスタであるということで、この番地ＮがＣＰＵ５へ出力される。
【００４４】
上述の処理内容を再度、表１〜表３を用いて説明する。
最終的にＦＦｈであったところは、ファイルとして既に使われているクラスタである。また、５５ｈとなっているところは、実質的にすでに消去されている領域ということになる。データが０ｈであった領域というのは疑似的に消去されてはいるが、記録媒体１３の対応するデータ領域にはデータとしてはまだ残っているということになる。
【００４５】
この後、画像記録装置では、疑似的に消去されているが、データが残ったままである領域を実質的に消去させることになる。実際に画像データを記録する際は、作業用メモリ上のデータ０ｈであるアドレスに対応する領域（実質的に消去を行った記録媒体上の領域）と、さらに作業用メモリ上の５５ｈであるアドレスに対応する領域（もとから実質的に消去されていた領域）とにデータが記録可能となる。
【００４６】
以上、説明した第１の実施の形態の画像記録装置によると、オーバーライト不可能な記録媒体であって、画像データが疑似消去された領域をもつ記録媒体を使用した場合でも、記録モード設定時、画像データの記録に先だって、実質的消去を行ってしまうので、記録トリガＳＷ９ｂが押されてから画像データの記録媒体１３への記録が完了するまでの時間が短縮され、シャッタチャンスを逃がすことが少なくなる。
【００４７】
次に、本発明の第２の実施の形態である画像記録装置について説明する。
画像データを電話回線を介して伝送する場合、伝送中に上述したような記録媒体の実質的な消去を行うと伝送時間が長くなってしまい、回線使用料が多額になってしまう。本実施の形態の画像記録装置は、その点を解決した画像記録装置である。
【００４８】
本画像記録装置の構成は、前記図１に示したものとほぼ同様の構成を有しているが、画像受信モードＳＷ９ｆによる受信モード設定後の処理が前記第１の実施形態の装置と異なる。したがって、各構成制御要素は、同一の符号を用いて説明する。
【００４９】
図４は、本画像記録装置における動作モード処理のフローチャートである。
電源が立ち上げられた（パワーオン）後、ステップＳ２１、Ｓ２２、Ｓ２３のルーチンの中で、どのモードＳＷが押されたかを検出する。例えば、ＰＬＡＹ  ＳＷ９ｃが押された場合は、ステップＳ２１からステップＳ２５へ進み、以下、前記図２のステップ０５以下の処理と同一の処理を実行する。
【００５０】
また、他のモードＳＷ９ｅが押された場合も、ステップＳ２４に進み、各モードの処理を実行し、モード変化があればステップＳ２１に戻ってモードを検出する動作を行う。
上記ステップＳ２２で画像受信モードＳＷ９ｆが押されたことが検出されると、ステップＳ２８へ進み、前記図２，３で説明した未消去領域検出回路６により未消去領域を検出する動作を行う。
【００５１】
ステップＳ２９において未消去領域の実質的消去を行った後、ステップＳ３０において、電話の着信があるかないかを判断し、着信があるとステップＳ３１で画像受信の処理を実行する。
さらに、ステップＳ３２において、モード変化が有るか無いかを判定し、無かった場合は、さらに電話の着信を待つという処理になる。モード変化があった場合は、ステップＳ２１に戻って、新しく設定されたモード処理を実行する。
【００５２】
なお、図４の動作において、ステップＳ２９で未消去領域を実質的消去を行うが、この処理は、前記図２のステップＳ０９に相当している。この実質的消去というのは、実際上どのような処理を行うかというと、記録媒体によって異なるが、特に、フラッシュメモリを媒体としたカード媒体である場合、対応領域のアドレスにＦＦｈを書き込むという処理である。
【００５３】
本実施の形態の画像記録装置は、着脱自在に配置されるフラッシュメモリより構成されたカード媒体であることを特徴とするが、特に、着脱自在に配設されるカードであった場合は、この装置の効果が大きくなる。
【００５４】
例えば、上記記録媒体がこの装置以外の画像記録装置で消去されたカード媒体であった場合、特に、パソコン等の外部の装置で行われたカード媒体であった場合、そのカ−ド媒体は未消去領域、つまり、疑似的な消去が施された領域が非常に多いカードになってしまう。本装置自体で画像データが消去されたカード媒体であれば、その消去モードの時に完全に実質的な消去を行ってしまえばよいが、上述のように他のパソコン等では上記疑似的な消去処理をメインに行われているため、そのカ−ド媒体では疑似的に消去された領域が上述のように非常に多くなる。
従って、着脱自在に配設されたフラッシュメモリより構成されたカード状媒体であった場合に、本実施の形態の装置では、回線を接続する以前に上述の非常に多い疑似消去領域を実質消去するので、回線利用時間が短縮され、その効果が大きくなる。
【００５５】
次に、本発明の第３の実施の形態である画像記録装置について説明する。
本画像記録装置は、前記第１、または、第２の実施の形態の画像記録装置に対して、さらに記録準備完了表示手段であるＬＣＤ１０（図１参照）に記録準備完了表示が可能であることを特徴とする。
なお、本装置の基本的な構成は、図１の構成と同様にであり、共通の構成部材については同一の符号を適用する。
【００５６】
まず、本画像記録装置における処理動作について、図５のフローチャートにより説明する。但し、この図５の処理は、前記図２のフローチャートにおけるステップＳ０２、および、ステップＳ０８からステップＳ１２までの処理が本図５のステップＳ１０８、および、ステップＳ１０９からステップＳ１１５に変更された処理であり、その異なるステップについて、以下に説明する。
【００５７】
図２のステップＳ０１でＰＬＡＹ  ＳＷ９ｃがオフであると判定されると、ステップＳ１０８にてＲＥＣ  ＳＷ９ａの状態を調べ、該ＳＷ９ａが押されたと判定されると、ステップＳ１０９へ進み、未消去領域検出回路６により未消去領域を検出する。続いて、ステップＳ１１０において、未消去領域の実質的消去を行う。
ステップＳ１１１にてＬＣＤ１０に記録準備完了表示マーク１０ａ（図７参照）を表示にする。この記録準備完了表示マーク１０ａは、図７のＬＣＤ１０の表示画面に示すＯＫマークであり、それが点滅表示される。
【００５８】
次に、ステップＳ１１２において記録トリガＳＷ９ｂが押されたかどうかを判定し、押された場合はステップＳ１１３で記録処理を実行する。さらに、ステップＳ１１４でモード変化があったどうかを検出する。モードの変化があった場合、ステップＳ１１５において、記録準備完了表示マーク１０ａの表示をオフにする。この後の処理は、図２と同じ動作になる。
【００５９】
本実施の形態の画像記録装置によると、記録可能となるタイミングを記録準備完了表示によりユーザーが判別できるので、シャッタチャンスを逃がすことがなくなる。また、実質的未消去領域が存在することが表示され、都合がよい。
【００６０】
次に、上記第２，第３実施の形態の画像記録装置の変形例として画像受信モードを備え、記録準備完了表示可能な画像記録装置について、その装置の処理動作を図６のフローチャートを用いて説明する。但し、この図６の処理は、前記図４のフローチャートにおけるステップＳ２２、および、ステップＳ２８からステップＳ３２までが、本図のステップＳ１１７、および、ステップＳ１１８からステップＳ１２４までに変更された処理であり、その異なるステップについて以下に説明する。
【００６１】
第３実施の形態の装置の場合と同じようにモードＳＷである画像受信モードＳＷ９ｆが押されたことをステップＳ１１７で判定すると、ステップＳ１１８において、未消去領域検出回路６により、未消去領域を検出する。ステップＳ１１９において、未消去領域の実質的消去を行う。そして、ステップＳ１２０において、図７に示すように記録準備完了表示手段であるＬＣＤ１０上に記録準備完了表示マーク１０ａの表示を行う。
【００６２】
続いて、ステップＳ１２１において電話が掛かってきたかどうか、着信ありかどうかの判定を行い、電話が掛かってくると、ステップＳ１２２において画像受信処理を行う。画像受信処理が終わると、ステップＳ１２３において、モードの変化があったかどうか判定し、モード変化があった場合は、ステップＳ１２４にて記録準備完了表示をオフする。その後は、前記図４のフローチャートと同じ動作になる。
【００６３】
本変形例の画像記録装置によると、伝送中の余計な待ち時間が減るので、回線使用料の節約になる。また、実質的未消去領域が存在することが表示され、都合がよい。
【００６４】
次に、本発明の第４の実施の形態の画像記録装置について説明する。
従来、または、前述の各画像記録装置においては、記録媒体が着脱可能であった場合、記録媒体を消去または記録中に媒体が誤排出されると、そのとき、書き込み中または消去中であった領域が永久に使えなくなるというような問題点があったが、本実施の形態の画像記録装置は、特に、このような不具合状態の発生を防止できる。なお、本装置の基本的な構成は、図１の構成と同様にであり、共通の構成部材については同一の符号を適用する。
【００６５】
図８は、本実施の形態の画像記録装置の主要のブロック構成図である。本図に示されていない構成要素は、前記図１のブロック構成図のものと同一とする。
本画像記録装置において、ＣＰＵ５は、データ記録読み出し回路４を介して記録媒体１３への画像データの記録，消去を行うが、この記録媒体１３の手前にＣＰＵ５から出力される媒体引き抜き禁止信号がアクティブならば、記録信号、または、消去信号がアクティブとなるようなゲート素子２１，２２が配置されている。すなわち、媒体引き抜き禁止信号によってＣＰＵ５は媒体離脱禁止表示手段であるＬＣＤ１０上に媒体引き抜き禁止表示マーク１０ｂを表示している間、このゲート２１，２２によって記録媒体１３への書き込みまたは消去が行えるように構成されている。
【００６６】
本画像記録装置における動作を図９のフローチャートで説明すると、電源が立ち上げられ、パワーオンされた後、ステップＳ４１、ステップＳ４２、ステップＳ４３、ステップＳ４４において、どのモードのＳＷが押されたかを検出する。例えば、ステップＳ４１においてＰＬＡＹ  ＳＷ９ｃが押されたのであれば、ステップＳ４５に進んで再生処理を行う。
【００６７】
また、ステップＳ４２において、記録モードスイッチであるＲＥＣ  ＳＷ９ａが押されたことが検出されると、ステップＳ４８にて未消去領域検出回路６により、未消去領域を検出する。ステップＳ４９にて媒体引き抜き禁止表示をオンする。すなわち、ＬＣＤ１０上に図８に示す媒体引き抜き禁止表示マーク１０ｂを表示する。
ステップＳ５０において、未消去領域を実質的消去する。これが完了すると、ステップＳ５１において媒体引き抜き禁止表示をオフする。
【００６８】
上記処理終了後、ステップＳ５２において記録トリガＳＷ９ｂが押されるのをステップＳ５６とのルーチン中で待ち、記録トリガＳＷ９ｂが押されると、ステップＳ５３にて、媒体引き抜き禁止表示マーク１０ｂを表示する。
ステップＳ５４で記録処理を行い、ステップＳ５５で再び媒体引き抜き禁止表示１０ｂを消す。
【００６９】
上述のように、本画像記録装置では媒体引き抜き禁止信号がアクティブであり、なおかつ、記録信号または消去信号がアクティブの時に初めて記録媒体１３への記録または消去が行える。そして、記録信号、消去信号が非アクティブ、つまり、書き込みを行っていない状態では、記録媒体１３には書き込み、または、消去がなされない。
【００７０】
さらに、記録信号，消去信号がアクティブになったとしても、媒体引き抜き禁止信号がアクティブにならない限りは、即ち、ＬＣＤ１０上に媒体引き抜き禁止表示マーク１０ｂが表示されている間のみしか記録媒体１３には書き込みまたは消去信号が伝送されないという構成になる。
【００７１】
以上の説明したように、本実施の形態の画像記録装置によると、ステップＳ５０及びステップＳ５４の処理を行っている間は、上述の媒体引き抜き禁止表示マーク１０ｂが表示され、媒体１３が引き抜いてはいけないということがユーザーにわかりやすくなる。そして、誤排出による媒体の破壊を防止できる。
【００７２】
次に、本発明の第５の実施の形態の画像記録装置について説明する。
本画像記録装置も第４の実施の形態の装置と同様にＣＰＵ５の引き抜き禁止信号がアクティブとなると、ＬＣＤ１０上に媒体引き抜き禁止表示マーク１０ｂが表示されるが、本装置では、その期間中、図１０のブロック構成図に示す媒体離脱防止機構としてのシャッタ駆動部２３が開閉シャッタ２５により図１２（Ａ）と該図１２（Ａ）のＢ矢視図である図１２（Ｂ）に示すように媒体記録装置２４の媒体受け口２４ａを閉じる。このように開閉シャッタ２５を閉じることによって記録媒体１３（メモリカード）が排出できないようにする。
なお、図１０の状態は媒体記録装置２４の開閉シャッタ２５が開放されている状態を示しており、図１１は、該図１０のＡ矢視図である。
【００７３】
媒体引き抜き禁止表示信号がアクティブになった時、すなわちＬＣＤ上に媒体引き抜き禁止表示マーク１０ｂが表示されている間は開閉シャッターが降りるので、媒体を引き抜いてはいけないタイミングでは、ユーザーが媒体を引き出そうとしても引き出せないという構成になっており、誤排出による媒体の破壊を確実に防止できる。
【００７４】
次に、本発明の第６の実施の形態の画像記録装置について説明する。
本実施の形態の画像記録装置は、圧縮モードを読み取って記録予定領域のみを実質的消去する処理を行うことが可能な装置である。図１３のフローチャートにより本装置の動作について説明する。なお、本装置の基本的な構成は、図１の構成と同様にであり、構成部材については同一の符号を適用する。
【００７５】
電源がオンとなると、すなわち、パワーオンすると、ステップＳ６１、ステップＳ６２、ステップＳ６３において、モードの検出を行う。該ステップＳ６１において再生スイッチのＰＬＡＹ  ＳＷ９ｃ、または、他のモードＳＷ９ｅが押されたことが検出されると、ステップＳ６５以下の再生処理、または、ステップＳ６４の他モード処理を行う。これらの処理は前記図２と同様の処理である。
【００７６】
ステップＳ６２において、記録スイッチであるＲＥＣ  ＳＷ９ａが押されたことが検出されると、さらに、ステップＳ６８で圧縮モード設定が読み取られる。ステップＳ６９で撮影される画像のサイズが予測され、記録の予定領域が判断でき、その領域の実質的に消去を行う。この実質的記録予定領域の実質的消去が行われると、ステップＳ７０においてＬＣＤ１０上に前記図７に示したものと同様の記録準備完了表示１０ａであるＯＫマークが点滅表示される。
【００７７】
上記ステップＳ６８において圧縮モード設定が読み取られるが、その圧縮モード設定というのは、図１４の本実施の形態の画像記録装置の主要ブロック構成図に示すモード設定スイッチ群のうち圧縮モードＳＷ９ｇの信号がスイッチ（ＳＷ）入力回路８へ出力され、それをＣＰＵ５が読み取ると圧縮モードの設定が行われる。
【００７８】
ここで、上記圧縮モードについて説明すると、その圧縮モードのうち、固定長の圧縮モードであった場合は、これから撮ろうとする画像サイズが、例えば、７２キロバイトであるとか、３２キロバイトであるとか、または、全く圧縮をしない非圧縮で、例えば、７２０キロバイトであるというようなこれから撮る画像データのファイルサイズが決定される。そのサイズが決まると記録予定領域がステップＳ６９にて判定され、その領域の実質的消去が行われる。即ち、前記図３で説明した未消去領域を検出した際の作業用メモリの中で、値が０ｈになっていたアドレス番地のクラスタか、または、値が５５ｈになっていたリアドレス番地のクラスタを、何クラスタ使うかということがステップＳ６９において判定され、その領域（クラスタ）の実質的消去を行う。
【００７９】
ステップＳ７０において、記録準備完了表示をオンし、前記図７に示す記録準備完了表示マーク１０ａをＬＣＤ１０に表示する。ユーザーはこの表示を見て画像記録が可能であるということを認識できる。
その後、ステップＳ７１からステップＳ７４のルーチンにおいて、記録トリガＳＷ９ｂが押されるか、または、モード変化がなされるかのどちらかを待つ。記録トリガＳＷ９ｂが押されると、ステップＳ７２で記録処理がなされ、ステップＳ７３に記録準備完了表示がオフされる。
【００８０】
上記ステップＳ７３の後、すぐに記録トリガＳＷ９ｂが押されても、本画像記録装置としては記録の予定領域の実質的消去が完了していないため、すぐに記録動作に移ることはできない。
ステップＳ７３の後、また、再度ステップＳ６８に戻って、圧縮モードの設定を読み取って、ステップＳ６９で記録予定領域の消去を行う。この後は記録トリガＳＷ９ｂのオンを受け付けるとすぐに記録処理に入れるという期間になり、再び、ステップＳ７０において記録準備完了表示がオンする。
【００８１】
上記ステップＳ７４においてモード変化がありと判別された場合は、ステップＳ７５において記録準備完了表示をオフする。また、モードが変わったときは、ステップＳ７５以降では記録処理が行えないため、ステップＳ７５で記録準備完了表示をオフする。そして、ステップＳ６１に戻り、以降、押されたスイッチのモード処理を実行する。
【００８２】
上記図１４の本画像記録装置の主要ブロック構成図について、改めて詳細に説明すると、本装置は、ＣＰＵ５、及び、後述するスイッチ群、スイッチ入力回路８、ＬＣＤ１０を有しており、ＬＣＤ１０上には図７に示した記録準備完了表示１０ａであるＯＫマークが表示可能である。また、スイッチ入力回路８には記録モードスイッチのＲＥＣ  ＳＷ９ａ、記録トリガＳＷ９ｂの他に圧縮モードＳＷ９ｇ及びその他のモードＳＷ９ｅが配設されている。
これらのスイッチ群からの信号は、スイッチ入力回路８に受け付けられ、ＣＰＵ５は、どのスイッチが押されたかを該スイッチ入力回路８の出力から読み取る。
【００８３】
本実施の形態の画像記録装置は、後述する付記（７）の画像記録装置に対応しており、その付記（７）の画像記録装置においては、上記記録モード設定手段による記録モード設定動作に応動して、上記圧縮モード設定手段により設定された圧縮モードから対応する圧縮率に基づいた画像データ記録予定量およびその画像記録データ記録予定領域を判定し、上記画像データ消去手段が上記画像データ未処理領域の上記判定された記録予定領域に相応した分の画像データの実質的な消去動作が開始される。
【００８４】
しかし、実際には図１３のステップＳ６８において圧縮モード設定を読み取り、ステップＳ６９において記録予定領域を予想するが、例えば、クラスタ番号が１、２、Ｎ−１、Ｎの領域に記録がされるという予測がされたとする。そして、このＮ−１とＮが疑似的消去が成されているが実質的には消去されていない領域であったとすると、上記ステップＳ６９においてはＮ−１とＮとクラスタ領域の実質的消去を行う。すなわち、ＦＦｈという値をＮ−１、Ｎ番のクラスタ内全体に書き込む。
【００８５】
次のステップＳ７２の記録処理においては、１、２、Ｎ−１、Ｎのクラスタの領域に対して記録動作を行うことになる。従って、ステップＳ６９において実質的消去を行った箇所のみに対してだけ、記録処理を行うという限定的なものではない。つまり、既に実質的消去をされていた領域、すなわち、図３で示した作業用メモリエリア内で、５５ｈと書かれたアドレス番地に対応したクラスタ領域である１、２クラスタと、ステップＳ６９で実質的消去を行ったＮ−１、Ｎクラスタとに画像データが記録される。
【００８６】
上述した本実施の形態の画像記録装置によれば、オーバーライト不可能な媒体を使用しても、記録トリガスイッチ９ｂが押されてから記録が完了するまでの時間が短縮され、かつ、１回当りの実質消去時間は短くなるので、シャッタチャンスを逃がしにくくなる。
【００８７】
次に、本発明の第７の実施の形態の画像記録装置について説明する。
本画像記録装置は、複数種類の記録媒体を利用することが可能な装置であって、記録媒体であるメモリカードの種類によって記録の処理を変えるとことができる。なお、本装置の構成部材について、同一のものについては、図１のブロック構成に示す構成部材の符号を適用する。
【００８８】
本装置の処理動作について、図１５のフローチャートにより説明すると、まず、電源が入られると、ステップＳ８０において媒体種別の判別の判定がされる。
ステップＳ８１、ステップＳ８２、ステップＳ８３のルーチンの中でどのモードのＳＷが押されたかを判定する。例えば、ステップＳ８１でＰＬＡＹ  ＳＷ９ｃが押されたと判定されると、ステップＳ８５へ行って媒体種別毎の再生処理が行われる。即ち、上記ステップＳ８０において判定された媒体種類についての処理を上記ステップＳ８５で行うことになる。
【００８９】
同様にＲＥＣ  ＳＷ９ａを押された場合は、ステップＳ８６においても上記ステップＳ８０の媒体種別の判定結果に基づき、記録処理が行われる。その他のモードにおいても同じで、ステップＳ８３以降で他のモードＳＷ９ｅが押された場合はステップＳ８０にて媒体判定された媒体種類に応じてその他のモードの処理がステップＳ８７において実行される。
【００９０】
そして、ステップＳ８４において媒体に変化が検出された場合、例えば、媒体媒体が画像記録装置から引き抜かれ、さらに、別の記録媒体が挿入された場合には、再び、ステップＳ８０において記録媒体種別の判定が行われる。
本実施の形態の画像記録装置によれば、１つの装置で、大型化することなく、複数種類の記録媒体を使用できる。
【００９１】
次に、上記第７の実施の形態の画像記録装置の変形例として、後からＲＯＭを追加することにより上述の記録媒体種別毎の処理方式を選択できる装置について説明する。
図１６の本変形例の装置の主要ブロック構成図に示すように、ＣＰＵ５の周辺に固定記憶手段としてのＲＯＭ２６があり、さらに、処理プログラム追加手段としての追加ＲＯＭが挿入できる追加ＲＯＭソケット２７，２８が配置されている。
【００９２】
この追加ＲＯＭソケット２７，２８は、アドレスおよびデータバスによってＣＰＵ５と接続されており、ＣＰＵ５はコントロール信号２９によってすでに挿入されているＲＯＭ２６をコントロールでき、さらには追加ＲＯＭソケット２７，２８に追加ＲＯＭが挿入された場合は、コントロール信号３０によって上記追加ＲＯＭから処理方式を読み出し、実行することが可能となる。
【００９３】
本変形例の画像記録装置によると、１つの装置で、大型化することなく、ユーザの判断により追加ＲＯＭを装着することにより、更に多くの複数種類の記録媒体を使用できる。
【００９４】
次に、前記上記第７の画像記録装置の別の変形例として、上述の記録媒体種別毎の処理方式を、後からＲＯＭを追加することなく選択できる装置について説明する。
図１７は、本変形例の装置の主要ブロック構成図である。前記変形例の装置と同様にＣＰＵ５とＲＯＭ２６が配置されているが、その他のメモリとしてフラッシュメモリ、または、ＥＥＰＲＯＭ等のメモリ３２が配置されている。さらに、カード状着脱自在な記録媒体、例えば、ＳＲＡＭカード、ＲＯＭカード、あるいは、モデムカード等を装着できるカードソケット３３が配置されている。
【００９５】
上記ＲＯＭ２６、メモリ３２、メモリカードソケット３３がアドレスデータバスによって接続されており、さらに、ＲＯＭ２６、メモリ３２、カードソケット３３に挿入される記録媒体は、コントロール信号２９，３０，３１によってコントロールされる。
【００９６】
そして、ＳＲＡＭカード、ＲＯＭカード、あるいは、モデムカード等のカードソケット３３に装着された記録媒体からメモリ３２へカード種別毎の処理をコピーすることによって、カード種別毎の処理を追加で登録することが可能となる。
【００９７】
次に、本発明の第８の実施の形態の画像記録装置について説明する。
本装置は、特に、オーバーライトが可能である記録媒体と、オーバーライトが不可能である記録媒体の２種類に対応している装置であり、図１８は、その動作のフローチャートである。
【００９８】
ステップＳ９１において、ＰＬＡＹ  ＳＷ９ｃが押圧されたことが検出された場合、前記図２のフローチャートと同様に再生処理を行う。
ステップＳ９２において、ＲＥＣ  ＳＷ９ａが押されたことが検出されると、ステップＳ９８において、記録媒体がオーバーライト可能であるかどうかの判定を行う。記録媒体がオーバーライト可能である場合は、ステップＳ１０１にて、直ちに記録トリガ受付可能な状態になる。
【００９９】
しかし、ステップＳ９８において記録媒体がオーバーライト不可能であると判定された場合は、ステップＳ９９で圧縮モードの設定を読み取り、ステップＳ１００で記録予定領域の実質的消去を行う。
即ち、ステップＳ９８での記録媒体がオーバーライト可能であるかどうかの判定処理の分岐点となり、記録媒体がオーバーライト可能であった場合は、すぐに記録トリガを受け付ける状態になるが、逆にオーバーライト不可能であった場合は、記録予定領域の実質的消去を行った後、初めて、記録トリガ受付可能の状態になる。
【０１００】
ステップＳ１０２において記録処理が終わると、再びステップＳ９８でオーバーライト可能かどうかを判定する処理に戻る。
ステップＳ１０３でモードの変化があった場合は、前記図２と同じように他のモード処理を実行する。また、この記録動作以外は全て図２と同様の動作になる。
【０１０１】
本実施の形態の画像記録装置によると、１つの装置が大型化することなく、ＳＲＡＭメモリーカードとＡＴＡフラッシュカード等のように、オーバーライト可能と、不可能な記録媒体のどちらでも記録媒体として使える。
【０１０２】
（１）  画像データ記録領域と該画像データ記録領域における画像データの記録状態を管理する画像データ管理領域とを論理的に含むオーバーライトが不可能な画像記録媒体を適用し、
上記画像記録媒体における画像データの消去を行なうべく、上記画像データ管理領域に対して所定の処理を実行することにより、上記画像データ記録領域中の当該画像データを疑似的に消去するようにした画像データ疑似消去手段を備えた画像記録装置であって、
上記画像記録媒体に画像データを記録するための記録モードを設定する記録モード設定手段と、
上記画像データ疑似消去手段による消去動作によって上記画像記録媒体における画像データ記録領域中に残された画像データ未消去領域を検出する未消去領域検出手段と、
上記未消去領域検出手段によって検出された未消去領域における画像データの消去を実質的に行う画像データ消去手段と、
上記記録モード設定手段による記録モード設定動作に応動して、上記未消去領域検出手段が画像データ未消去領域を検出し、上記画像データ消去手段が該検出された未検出領域中の画像データの実質的な消去動作が開始するように制御する制御手段と、
を備えたことを特徴とする画像記録装置。
従来ではオーバーライト不可能な媒体を使用する場合、疑似消去動作とは別に実質的消去動作を行う必要があり、この実質的消去動作を行うことによって生じるタイムラグにより記録チャンスを逃してしまうという問題があったが、上記付記（１）の画像記録装置によると、オーバーライト不可能な媒体を使用しても、記録トリガスイッチが押されてから記録が完了するまでの時間が短縮されるので、シャッターチャンスを逃がさなくなる。
【０１０３】
（２）所定の回線を介して伝送される画像データを受信するための画像受信モードを設定する画像受信モード設定手段を更に備え、
上記制御手段は、上記画像受信モード設定手段による画像受信モード設定動作に応動して、上記未消去領域検出手段が画像データ未消去領域を検出し、上記画像データ消去手段が該検出された未消去領域中の画像データの実質的な消去動作を開始するように制御することを特徴とする付記（１）記載の画像記録装置。
従来では、画像データを電話回線を介して伝送する場合、伝送中に上述したような記録媒体の実質的な消去を行うと伝送時間が長くなってしまい、回線使用料が多額になっていたが、上記付記（２）の画像記録装置によれば、オーバーライト不可能な媒体を使用しても伝送時間が長くならず、回線使用料の節約になる。
【０１０４】
（３）  上記画像データ消去手段が上記未消去領域検出手段によって検出された未消去領域中の画像データの実質的な消去動作を完了したことを示すための記録準備完了表示手段を更に備えていることを特徴とする付記（１）または（２）記載の画像記録装置。
従来、記録，伝送時に実質的な消去動作の完了と認識できることが望まれていたが、上記付記（３）の画像記録装置によると、記録可能なタイミングをユーザーが判別できるのでシャッターチャンスを逃がさなくなる。また、伝送中の余計な待ち時間が減るので、回線使用料の節約になる。また、実質的未消去領域が存在することを表示する。
【０１０５】
（４）  上記画像記録媒体を当該装置に対して着脱自在に配設するようになし、
画像データ記録動作中乃至は上記画像データ消去手段による画像データ消去動作中は上記画像記録媒体が当該装置より離脱されることを禁止すべく絵文字、記号等によって直接的にその表示を行うための媒体離脱禁止表示手段を更に備えていることを特徴とする付記（１）記載の画像記録装置。
従来、記録媒体が着脱可能であった場合、記録媒体を消去または記録中に媒体が誤排出されると、そのとき、書き込み中または消去中であった領域が永久に使えなくなるというような問題点があったが、上記付記（４）の画像記録装置によれば、媒体を引き抜いてはいけないタイミングをユーザーが判別しやすくなり、誤排出による媒体の破壊を防止できる。
【０１０６】
（５）  上記画像記録媒体を当該装置に対して着脱自在に配設するようになし、
上記画像記録媒体が当該装置より離脱されることを禁止すべく表示を行うための媒体離脱禁止表示手段と、
上記媒体離脱禁止表示手段による表示中のみ画像データの記録動作乃至は上記画像データ消去手段による画像データの消去動作を許可する手段とを更に備えたことを特徴とする付記（１）記載の画像記録装置。
従来、記録媒体が着脱可能であった場合、記録媒体を消去または記録中に媒体が誤排出されると、そのとき、書き込み中または消去中であった領域が永久に使えなくなるというような問題点があったが、上記付記（５）の画像記録装置によれば、媒体を引き抜いてはいけないタイミングをユーザーがより確実に判別できるようになり、誤排出による媒体の破壊を防止できる。
【０１０７】
（６）  上記画像記録媒体を当該装置に対して着脱自在に配設するようになし、画像データ記録動作中乃至は上記画像データ消去手段による画像データ消去動作中は上記画像記録媒体が当該装置より離脱されることを防止するための媒体離脱防止機構を更に備えたことを特徴とする付記（１）記載の画像記録装置。
従来、記録媒体が着脱可能であった場合、記録媒体を消去または記録中に媒体が誤排出されると、そのとき、書き込み中または消去中であった領域が永久に使えなくなるというような問題点があったが、上記付記（６）の画像記録装置によると、媒体を引き抜いてはいけないタイミングでは、媒体引き抜きを不可能にしたため、誤排出による媒体の破壊を確実に防止できる。
【０１０８】
（７）  画像データ記録領域と該画像データ記録領域における画像データの記録状態を管理する画像データ管理領域とを論理的に含むオーバーライトが不可能な画像記録媒体を適用し、
上記画像記録媒体における画像データの消去を行うべく上記画像データ管理領域に対して所定の処理を実行することにより上記画像データ記録領域中の当該画像データを疑似的に消去するようにした画像データ疑似消去手段を備えた画像記録装置であって、
上記画像記録媒体に画像データを記録するための記録モードを設定する記録モード設定手段と、
上記画像記録媒体に記録すべき画像データの圧縮率を決定するために互いに異なる圧縮率を有する複数の圧縮モードの中から一の圧縮モードを設定するための圧縮モード設定手段と、
上記画像データ疑似消去手段によって画像データ記録領域中に残された画像データ未消去領域における画像データの消去を実質的に行う画像データ消去手段と、
上記記録モード設定手段による記録モード設定動作に応動して、上記圧縮モード設定手段により設定された圧縮モードから対応する圧縮率に基づいた画像データ記録予定量及びその画像データ記録予定領域を判定し、上記画像データ消去手段が上記画像データ未消去領域内の上記判定された記録予定領域に相応した分の画像データの実質的な消去動作を開始するように制御する制御手段とを備えたことを特徴とする画像記録装置。
従来ではオーバーライト不可能な媒体を使用する場合、疑似消去動作とは別に実質的消去動作を行う必要があり、この実質的消去動作を行うことによって生じるタイムラグにより記録チャンスを逃してしまうという問題があった。また、さらなる実質消去時間の短縮が望まれていた。上記付記（７）の画像記録装置によると、オーバーライト不可能な媒体を使用しても、記録トリガスイッチが押されてから記録が完了するまでの時間が短縮され、かつ、１回当りの実質消去時間は短くなるのでシャッターチャンスを逃がしにくくなる。
【０１０９】
（８）  上記画像データ消去手段が上記制御手段によって判定された記録予定領域に相応した分の画像データの実質的な消去動作を完了したことを示すための記録準備完了表示手段を更に備えたことを特徴とする付記（７）記載の画像記録装置。
従来、記録時には実質的な消去動作の完了を認識できることが望まれていたが、上記付記（８）の画像記録装置によると、記録可能なタイミングをユーザーが判別できるのでシャッターチャンスを逃がさなくなる。
【０１１０】
（９）  少なくとも記録すべき画像データの記録処理動作が互いに異なる複数種の画像記録媒体を着脱自在に配設するようになし、
当該装置に挿着された上記画像記録媒体が何れの種の媒体であるかを判別する媒体種判別手段と、
挿着され得る上記媒体種毎の処理スピード、消去方式等に対応した複数の処理プログラムを記憶した固定記憶手段と、
上記媒体種判別手段の判別結果に応じて上記固定記憶手段内の対応した処理プログラムを選択し、該選択された処理プログラムに基づいて所定の処理動作を実行させるようにした制御手段とを備えたことを特徴とする画像記録装置。
従来から複数種類の記録媒体を使用することが望まれており、これを１つの装置で実現しようと装置が大型化するという問題があったが、上記付記（９）の画像記録装置によると、１つの装置で、大型化することなく、複数種類の記録媒体を使用できるようになる。
【０１１１】
（１０）  上記固定記憶手段に対して媒体種に対応した新たな処理プログラムを追加記憶するための処理プログラム追加手段を更に備えたことを特徴とする付記（９）記載の画像記録装置。
従来からユーザが任意に記録媒体の種類を追加して使用することが望まれていたが、これを１つの装置で実現しようとすると装置が大型化するといった問題があった。上記付記（１０）の画像記録装置によると、１つの装置で、大型化することなく、ユーザーの判断により更に多くの複数種類の記録媒体を使用できるようになる。
【０１１２】
（１１）  画像データ記録領域と該画像データ記録領域における画像データの記録状態を管理する画像データ管理領域とを論理的に含むオーバーライトが可能な画像記録媒体または同領域を論理的に含むオーバーライトが不可能な画像記録媒体のうち何れかの種の媒体を適用して当該装置に対して着脱自在に配設するようになし、
上記画像記録媒体における画像データの消去を行うべく上記画像データ管理領域に対して所定の処理を実行することにより上記画像データ記録領域中の当該画像データを疑似的に消去するようにした画像データ疑似消去手段を備えた画像記録装置であって、
上記画像記録媒体に画像データを記録するための記録モードを設定する記録モード設定手段と、
上記画像データ疑似消去手段による消去動作によって上記画像記録媒体における画像データ記録領域中に残された画像データ未消去領域を検出する未消去領域検出手段と、
上記未消去領域検出手段によって検出された未消去領域における画像データの消去を実質的に行う画像データ消去手段と、
当該装置に挿着された上記画像記録媒体が何れの種の媒体であるかを判別する媒体種判別手段と、
上記媒体種判別手段による判別結果がオーバーライト可能な媒体であると判別されたとき、上記記録モード設定手段による記録モード設定時に上記画像データ消去手段の消去動作を禁止させ、上記媒体種判別手段による判別結果がオーバーライト不可能な媒体であると判別されたとき、上記記録モード設定手段による記録モード設定動作に応動して、上記未消去領域検出手段が画像データ未消去領域を検出し、上記画像データ消去手段が該検出された未消去領域中の画像データの実質的な消去動作を開始するように制御する制御手段とを備えたことを特徴とする画像記録装置。
従来、オーバーライトが可能な記録媒体とオーバーライトが不可能な記録媒体のどちらも使用可能な装置が望まれていたが、これを１つの装置で実現しようとすると、装置が大型化するという問題があった。上記付記（１１）の画像記録装置によると、１つの装置が大型化することなく、ＳＲＡＭメモリーカードとＡＴＡフラッシュカード等のように、オーバーライト可能と不可能な媒体のどちらでも記録媒体として使えるようになる。
【０１１３】
【発明の効果】
上述のように本発明の請求項１記載の画像記録装置によれば、オーバーライト不可能な媒体を使用しても、記録トリガスイッチが押されてから記録が完了するまでの時間が短縮され、シャッタチャンスが逃がすことが少なくなる。
【図面の簡単な説明】
【図１】本発明の第１の実施の形態の画像記録装置のブロック構成図。
【図２】図１の画像記録装置における処理動作のフローチャート。
【図３】図１の画像記録装置における未消去領域検出処理動作のフローチャート。
【図４】本発明の第２の実施のの形態である画像記録装置における処理動作のフローチャート。
【図５】本発明の第３の実施の形態である画像記録装置における処理動作のフローチャート。
【図６】本発明の第２，第３の実施の形態である画像記録装置の変形例における処理動作のフローチャート。
【図７】上記第３の実施の形態である画像記録装置、および、変形例の装置におけるＬＣＤの記録準備完了表示画面を示す図。
【図８】本発明の第４の実施の形態の画像記録装置の主要ブロック構成図。
【図９】図８の画像記録装置の処理動作のフローチャート。
【図１０】本発明の第５の実施の形態の画像記録装置の主要ブロック構成図。
【図１１】図１０のＡ矢視図。
【図１２】図１０の画像記録装置における媒体記録装置のシャッタ閉じ状態を示す図であって、図１２（Ａ）は側面図、図１２（Ｂ）は図１２（Ａ）のＢ矢視図。
【図１３】本発明の第６の実施の形態の画像記録装置の処理動作のフローチャート。
【図１４】図１３の画像記録装置の主要ブロック構成図。
【図１５】本発明の第７の実施の形態の画像記録装置の処理動作のフローチャート。
【図１６】第７の実施の形態の画像記録装置の変形例の主要ブロック構成図。
【図１７】第７の実施の形態の画像記録装置の別の変形例の主要ブロック構成図。
【図１８】本発明の第８の実施の形態の画像記録装置の処理動作のフローチャート。
【図１９】従来の画像記録再生装置に適用される記録メディアのメモリ論理構造を示す図。
【符号の説明】
５  ……ＣＰＵ
（画像データ疑似消去手段，
画像データ消去手段，
制御手段）
６  ……未消去領域検出回路
（未消去領域検出手段）
９ａ……ＲＥＣ  ＳＷ
（記録モード設定手段）
９ｆ……画像受信モードＳＷ
（画像受信モード設定手段）
１３  ……画像記録媒体
３３  ……画像データ記録領域
３２ａ……画像データ管理領域
３２ｂ……画像データ管理領域
【図１】
0003776493.tif 000005
【図２】
0003776493.tif 000006
【図３】
0003776493.tif 000007
【図４】
0003776493.tif 000008
【図５】
0003776493.tif 000009
【図６】
0003776493.tif 000010
【図７】
0003776493.tif 000011
【図８】
0003776493.tif 000012
【図９】
0003776493.tif 000013
【図１０】
0003776493.tif 000014
【図１１】
0003776493.tif 000015
【図１２】
0003776493.tif 000016
【図１３】
0003776493.tif 000017
【図１４】
0003776493.tif 000018
【図１５】
0003776493.tif 000019
【図１６】
0003776493.tif 000020
【図１７】
0003776493.tif 000021
【図１８】
0003776493.tif 000022
【図１９】
0003776493.tif 000023